(57)【要約】【課題】バルブステムに下端部で嵌着して前方へ噴射する噴射口を備えたノズルに、押下げ操作されるキャップ状のボタンを交換可能に別体として装着可能にするエアゾール容器用噴射ボタンを提供する。【解決手段】ボタンをその内部空間により共鳴器として構成し得ることに着眼したもので、バルブステム３に下端部で嵌着する流路部が内部に形成されると共に、この流路部に連通する噴射口１３ａが周面に設けられたノズル１０と、このノズルと別体に構成されて上面で押下げ操作されるキャップ状のボタン３０とを備える。ノズル１０に、このノズルの周囲に閉鎖空間部３６、３７を形成するように、ノズル１０をカバーするボタン３０が装着されると共に、このボタンの周面に、このボタンの内側に位置する噴射口１３ａに対向する開口部３１が形成され、また閉鎖空間部３６、３７の形状が噴射音に共鳴可能に形成されている。【選択図】　　　　図１
2004033917.tif 000002
【特許請求の範囲】
【請求項１】
エアゾール容器の頭部から突出するバルブステムに下端部で嵌着し、押下げ操作により内容物を前向きの噴射口から噴射するようになったエアゾール容器用噴射ボタンにおいて、
バルブステムに下端部で嵌着する流路部が内部に形成されると共に、この流路部に連通する噴射口が周面に設けられたノズルと、このノズルと別体に構成されて上面で押下げ操作されるキャップ状のボタンとを備え、
前記ノズルに、このノズルの周囲に閉鎖空間部を形成するように、前記ノズルをカバーする前記ボタンが装着されると共に、このボタンの周面に、このボタンの内側に位置する前記噴射口に対向する開口部が形成され、また前記閉鎖空間部の形状が噴射音に共鳴可能に形成されていることを特徴とするエアゾール容器用噴射ボタン。
【請求項２】
ノズルが、エアゾール容器頭部に装着される肩カバーに、ヒンジ部を介して揺動可能に連結されていることを特徴とする請求項１記載のエアゾール容器用噴射ボタン。
【発明の詳細な説明】
【０００１】
【発明の属する技術分野】
本発明は、エアゾール容器の頭部から突出するバルブステムに下端部で嵌着し、押下げ操作により、前向きの噴射口から内容物を噴射するようになったエアゾール容器用噴射ボタンに関するものである。
【０００２】
【従来の技術】
この種のエアゾール容器用噴射ボタンは、肩カバーに連結される揺動式或いは肩カバー部なしの昇降式の場合でも、合成樹脂により一体に形成されるのが通常である。
【０００３】
【発明が解決しようとする課題】
したがって、同一構造の噴射ボタンに対して別の意匠を施したい場合、噴射ボタン全体を個別に製作している。
【０００４】
本発明は、このような点に鑑みて、バルブステムに下端部で嵌着して前方へ噴射する噴射口を備えたノズルに、押下げ操作されるキャップ状のボタンを別体として装着可能にするエアゾール容器用噴射ボタンを提供することを目的とする。
【０００５】
【課題を解決するための手段】
本発明は、この目的を達成する際に、ボタンをその内部空間により共鳴器として構成し得ることに着眼したもので、請求項１により、エアゾール容器の頭部から突出するバルブステムに下端部で嵌着し、押下げ操作により、前向きの噴射口から内容物を噴射するようになったエアゾール容器用噴射ボタンにおいて、バルブステムに下端部で嵌着する流路部が内部に形成されると共に、この流路部に連通する噴射口が周面に設けられたノズルと、このノズルと別体に構成されて上面で押下げ操作されるキャップ状のボタンとを備え、ノズルに、このノズルの周囲に閉鎖空間部を形成するように、ノズルをカバーするボタンが装着されると共に、このボタンの周面に、このボタンの内側に位置する噴射口に対向する開口部が形成され、また閉鎖空間部の形状が噴射音に共鳴可能に形成されていることを特徴とする。
【０００６】
製造段階或いは使用段階で、ノズルに、別体のボタンを装着することにより、意匠を選択的に施すことが可能となる。また、閉鎖空間部が、開口部の内側に位置する噴射口から発せられる噴射音に対する空洞共鳴器として機能し、共鳴音の重畳した噴射音が外部に発せられる。
【０００７】
【発明の実施の形態】
図１及び図２を基に本発明の実施の形態の一例によるエアゾール容器用噴射ボタンを説明する。エアゾール容器１の頭部には、内部に弁機構を備え、上方付勢状態でバルブステム３を突出させるマウンティングカップ２が装着されている。このマウンティングカップに装着される噴射ボタンは、バルブステム３に下端部で嵌着し、前方への噴射を行うノズル１０が、エアゾール容器１の肩部をカバーする肩カバー２０に揺動可能に連結された一体成形による合成樹脂製の噴射ボタン本体９と、別体のボタン３０とで構成される。
【０００８】
ノズル１０は、下端部でバルブステム３に嵌着する縦方向の中心流路部１１及びその上端に前向きに接続し、かつ前端部に前方への噴射口１３ａを有する噴口部材１３が嵌入された横方向流路部１２と、これらの流路部を包囲する外筒部１０ａとを備えている。この外筒部は、下端にフランジ部１４を有するディスク状外筒基部１５及びこの外筒基部上にその外径よりも横幅を狭くして立設された略直方体状の外筒本体１６を備えている。
【０００９】
肩カバー２０は、外径が２段階に変化する周面部２１でエアゾール容器１の肩部をカバーし、その上端に環状の上面周辺部２２を形成している。周面部２１の内側に形成された内筒部２３の下端部のリング状突部２３ａが、マウンティングカップ２のカール部２ａの内周凹部に係合する。
【００１０】
ノズル１０の周面の下端部となるフランジ部１４は、隙間２９を置くように、肩カバー２０の上面周辺部２２の内径より外径を小さく設定されると共に、噴射口１３ａの下方位置でインテグラルヒンジ部２５ａを介して連結片２５で上面周辺部２２に連結されている。噴口部材１３が嵌入される外筒本体１６の周面正面部１６ａは、外筒基部１５の周面正面部に対して後退位置に設定されている。
【００１１】
ボタン３０は透明の合成樹脂製であり、ノズル１０のフランジ部１４の外径に相当する内径の円筒状のキャップとして形成されている。その上面部３５の後部裏面には、ノズル１０の上面部１８の切込み部１７に係入するプレート状の係入片３３が形成されている。また、その周面には、噴射口１３ａに対面して、その外径よりも口径を大きくした開口部３１が形成されると共に、その下方には連結片２５に係合する切欠部３２が形成されている。
【００１２】
これにより、ボタン３０は、図１に示すように、係入片３３が切込み部１７に係入し、切欠部３２が連結片２５に係合することにより、回転位置及び上下位置を規定されてノズル１０に着脱自在に装着される。この状態で、ボタン３０の下端部はフランジ部１４に係合することにより、ノズル１０の周囲に、閉鎖空間部が形成され、開口部３１でのみ外部に連通する。即ち、ノズル１０の側方の周囲にフランジ部１４の突出量に相当する空間部３６及び上方の周囲に部分的に係入片３３で仕切られた空間部３７が形成され、互いに連通して一体の閉鎖空間部を形成している。
【００１３】
ボタン３０の内部空間の内径は１６ｍｍ、高さ２０ｍｍ、開口部３１の直径は６ｍｍである。ノズル１０の外筒基部１５の外径は１４ｍｍ、高さは１８ｍｍ、略直方体状の外筒本体１６の横幅は７ｍｍである。噴射口１３ａは、開口部３１の板厚分だけ内寄りの位置から１．５ｍｍさらに内部に後退している。これにより、ボタン３０の内部には相応の容積を有する空洞共鳴器が構成される。
【００１４】
このような構成による噴射ボタンの動作は次の通りである。ボタン３０の上面部３５を押下げ操作すると、インテグラルヒンジ部２５ａを支点としてノズル１０が下方へ揺動し、バルブステム３が押下げ操作され、噴射口１３ａから開口部３１を通して噴射が行われる。噴射圧は、例えばＮ２ガスにより８ｋｇ／ｃｍ２である。その際、噴射音が、開口部３１の内側で発生されるために、空間部３６、３７の形状で規定される特定の周波数領域の反射音が開口部３１からの放射される音に重畳され、共鳴音が混合する。
【００１５】
図３は、この噴射ボタンのボタン３０の有無による噴射音の周波数分布の試験結果を示す。ボタン３０を装着しない場合、実線で示すように、振幅のピークが１ｋＨｚの前後にわたり分布するのに対して、ボタン３０を装着した場合、点線で示すように、３ｋＨｚ近くに共鳴によるピークが発生し、１ｋＨｚの前後のピークは減衰した。シューと云う噴射時の特有の音が、弱く口笛を吹くような柔らかな音に変わった。
【００１６】
製造段階で、ノズル１０を透けて見せる透明のボタン３０を同一構造の例えば着色された不透明のボタンと交換すると別意匠となる。このように基本的に同一構造のボタンを複数種類用意しておくと、意匠の異なる噴射ボタンを複数種類用意するのに比べて、コスト或いは在庫管理上有利となり、意匠の選択幅を広げるのも容易となる。また、前述のようにボタン３０がノズル１０に着脱自在に構成されて交換できる場合、使用者が購入時点で或いは自身で交換部品を用意しておくことにより購入後に、任意に意匠を選択するのも可能となる。
【００１７】
図４は別の実施の形態による昇降式の噴射ボタンを示すもので、前述の噴射ボタンに対して肩カバー２０を廃止し、前述のボタン３０の上面を平坦にしてボタン３０ａを形成し、また前述のノズル１０の連結片２５に代えて、ボタン３０ａの板厚に相当する長さに短縮した突起部２５ｂを係合用に設けてノズル１０ｂを形成している。この場合も、ボタンを共鳴器として機能させ得ると共に、同様に意匠の異なる複数種類のボタンを用意しておくことにより、種々の意匠の噴射ボタンが容易に製作可能となる。
【００１８】
【発明の効果】
本発明によれば、ノズルに、別体のボタンが周囲に空間部を形成するように装着されることにより、複数種類の意匠の異なる噴射ボタンを用意するのが、コスト上有利となるだけでなく、空洞共鳴による特異な噴射音を発生させることも可能となる。
【図面の簡単な説明】
【図１】本発明の実施の形態によるエアゾール容器用噴射ボタンの断面図である。
【図２】同噴射ボタンの分解斜視図である。
【図３】同噴射ボタンの噴射音の周波数特性を示す図である。
【図４】別の実施の形態によるエアゾール容器用噴射ボタンの断面図である。
【符号の説明】
１　エアゾール容器
２　マウンティングカップ
３　バルブステム
１０、１０ｂ　ノズル
１３ａ　噴射口
２０　肩カバー
３０、３０ａ　ボタン
３１　ボタンの開口部
３６、３７　空間部
【図１】
2004033917.tif 000003
【図２】
2004033917.tif 000004
【図３】
2004033917.tif 000005
【図４】
2004033917.tif 000006